(57)【要約】【課題】  再生中の動画の拡大領域指定を容易にする。【解決手段】  動画表示システム１００は、プロジェクタ１１０により動画をスクリーンＳＣＲ上の投射領域ＡＰＪに投射する。このシステムは、倍率変更の指示をプロジェクタに送信する指令送信部を有するポインタ１２０を備えている。プロジェクタ１１０は、ポインタ１２０による指示に基づいて投射領域ＡＰＪでの位置を表す位置パラメータを取得し、倍率変更の指示に基づいて倍率パラメータを取得する。そして、プロジェクタ１１０は、動画上に位置パラメータと倍率パラメータとに応じた位置と大きさの領域枠を重畳する。【選択図】  図１
2005292178.tif 000002
【特許請求の範囲】
【請求項１】
動画の一部を拡大表示するための拡大領域を前記動画の再生中に指定する拡大領域指定システムであって、
前記動画をスクリーン上の投射領域に投射するプロジェクタと、
倍率の変更を指示するための倍率変更指令を前記プロジェクタに送信する指令送信部を有し、前記投射領域での２次元的な位置を指示するためのポインタと、
を備え、
前記プロジェクタは、前記ポインタによって指示された前記投射領域での位置を表す位置パラメータを取得する位置パラメータ取得部と、前記倍率変更指令に基づいて前記拡大領域の動画中における大きさを指定する倍率パラメータを取得する倍率パラメータ取得部と、前記位置パラメータと前記倍率パラメータとに応じて拡大領域の領域枠を前記動画上に重畳する領域枠重畳部とを備える、拡大領域指定システム。
【請求項２】
請求項１記載の拡大領域指定システムであって、
前記プロジェクタは、前記投射領域を撮影するカメラを備え、
前記ポインタは、光線を射出する光源を備え、
前記位置パラメータ取得部は、前記カメラが取得した映像に基づいて前記光線によって指示された前記投射領域での位置を取得する、拡大領域指定システム。
【請求項３】
請求項２記載の拡大領域指定システムであって、
前記光源が射出する光線は赤外線である、拡大領域指定システム。
【請求項４】
請求項３記載の拡大領域指定システムであって、
前記指令送信部は、前記光源が射出する光線を変調することによって、前記倍率変更指令を送信する、拡大領域指定システム。
【請求項５】
プロジェクタによってスクリーン上の投射領域に投射される動画の一部を拡大表示するための拡大領域を、前記動画の再生中に指定する拡大領域指定方法であって、
（ａ）前記投射領域での２次元的な位置を指示するポインタによって指示された位置を表す位置パラメータを取得する工程と、
（ｂ）前記ポインタから送信される倍率変更指令に基づいて前記拡大領域の動画中における大きさを指定する倍率パラメータを取得する工程と、
（ｃ）前記位置パラメータと前記倍率パラメータとに応じて前記拡大領域の領域枠を前記動画上に重畳する工程と、
を備える、拡大領域指定方法。
【請求項６】
プロジェクタによってスクリーン上の投射領域に投射される動画の一部を拡大表示するための拡大領域を、前記動画の再生中に指定するコンピュータプログラムであって、
（ａ）前記投射領域での２次元的な位置を指示するポインタによって指示された位置を表す位置パラメータを取得する機能と、
（ｂ）前記ポインタから送信される倍率変更指令に基づいて前記拡大領域の動画中における大きさを指定する倍率パラメータを取得する機能と、
（ｃ）前記位置パラメータと前記倍率パラメータとに応じて前記拡大領域の領域枠を前記動画上に重畳する機能と、
をコンピュータに実現させるコンピュータプログラム。
【発明の詳細な説明】
【技術分野】
【０００１】
この発明は、動画の再生中に動画の一部の領域を指定する技術に関する。
【背景技術】
【０００２】
プレゼンテーションを行う場合、プロジェクタ等を使用した大画面表示によりプレゼンテーションの聴衆に画像を提示することが行われる。このように大画面表示された画像であっても、聴衆の着席位置によっては提示された画像が見えない状態が発生することがあるため、提示される画像の一部を拡大表示することが行われる。画像の拡大表示をする場合、拡大の対象となる拡大領域を指定するために、拡大領域の対角の２点をポインタによって指示することが行われる（例えば、特許文献１参照）。
【０００３】
【特許文献１】特開平１１−３３８４５８号公報
【特許文献２】特開２００１−３４４０６９号公報
【０００４】
しかしながら、拡大対象となる画像が再生中の動画の場合、拡大領域の対角の２点を指示する間に拡大の対象となる領域が移動し、ユーザが拡大表示を望む領域と異なる領域が指定される場合があった。
【発明の開示】
【発明が解決しようとする課題】
【０００５】
本発明は、上述した従来の課題を解決するためになされたものであり、再生中の動画の拡大領域指定を容易にする技術を提供することを目的とする。
【課題を解決するための手段】
【０００６】
上記目的の少なくとも一部を達成するために、本発明の拡大領域指定システムは、動画の一部を拡大表示するための拡大領域を前記動画の再生中に指定する拡大領域指定システムであって、前記動画をスクリーン上の投射領域に投射するプロジェクタと、倍率の変更を指示するための倍率変更指令を前記プロジェクタに送信する指令送信部を有し、前記投射領域での２次元的な位置を指示するためのポインタと、を備え、前記プロジェクタは、前記ポインタによって指示された前記投射領域での位置を表す位置パラメータを取得する位置パラメータ取得部と、前記倍率変更指令に基づいて前記拡大領域の動画中における大きさを指定する倍率パラメータを取得する倍率パラメータ取得部と、前記位置パラメータと前記倍率パラメータとに応じて前記拡大領域の領域枠を前記動画上に重畳する領域枠重畳部とを備えることを特徴とする。
【０００７】
この構成によれば、拡大領域を迅速に指定することが可能となるので、再生中の動画の注目領域指定が容易となる。
【０００８】
前記プロジェクタは、前記投射領域を撮影するカメラを備え、前記ポインタは、光線を射出する光源を備え、前記位置パラメータ取得部は、前記カメラが取得した映像に基づいて前記光線によって指示された前記投射領域での位置を取得するものとしてもよい。
【０００９】
この構成によれば、ポインタの操作により位置の指定ができるので、ユーザは違和感のない位置指定操作を行うことができる。
【００１０】
前記光源が射出する光線は赤外線であるものとしてもよい。
【００１１】
この構成によれば、投射される動画による妨害が抑止できるので、より精度の高い位置指定が可能となる。
【００１２】
前記指令送信部は、前記光源が射出する光線を変調することによって、前記倍率変更指令を送信するものとしてもよい。
【００１３】
この構成によれば、指令の送信に必要な光量が低減できるので、ポインタの消費電力が低減できる。
【００１４】
なお、本発明は、種々の態様で実現することが可能であり、例えば、動画処理方法および動画処理装置、動画表示方法および動画表示装置、それらの方法または装置の機能を実現するためのコンピュータプログラム、そのコンピュータプログラムを記録した記録媒体、等の態様で実現することができる。
【発明を実施するための最良の形態】
【００１５】
次に、本発明を実施するための最良の形態を実施例に基づいて以下の順序で説明する。
Ａ．実施例：
Ｂ．変形例：
【００１６】
Ａ．実施例：
図１は、本発明の一実施例としての動画表示システム１００の構成を示す説明図である。動画表示システム１００は、プロジェクタ１１０と、ポインタ１２０と、ＤＶＤプレーヤ１３０と、スクリーンＳＣＲとを備えている。
【００１７】
プロジェクタ１１０は、画像を投影するプロジェクタ本体１１２と、赤外線カメラ１１４とを備えている。プロジェクタ本体１１２は、ＤＶＤプレーヤ１３０等から供給される映像信号ＶＳの画像処理を行い、スクリーンＳＣＲ上の投射領域ＡＰＪに画像を投射する。
【００１８】
赤外線カメラ１１４は、視野領域ＡＣＶの映像を取得する。視野領域ＡＣＶは、投射領域ＡＰＪの映像を取得するため、投射領域ＡＰＪを含む領域となっている。なお、図１では、赤外線カメラ１１４は、プロジェクタ本体１１２に取り付けられたものとして描かれているが、赤外線カメラ１１４はプロジェクタ本体１１２に内蔵されるものとしても良く、また、プロジェクタ本体１１２と離れた位置に設置されるものとしてもよい。なお、赤外線カメラ１１４としては、赤外線透過フィルタを備えるモノクロＣＣＤカメラ等を使用することができる。
【００１９】
ポインタ１２０は、拡大領域の指定開始および確定を指示するため操作ボタンＢＳＬと、拡大領域の指定中止を指示するための操作ボタンＢＳＣと、拡大領域の大きさの変更を指示するための操作ボタンＢＺＵ，ＢＺＤと、投射領域ＡＰＪ上の位置を指示するための操作ボタンＢＰＴとを備えている。また、ポインタ１２０は、ユーザがこれら５つの操作ボタンＢＳＬ，ＢＳＣ，ＢＺＵ，ＢＺＤ，ＢＰＴを操作することにより入力した指示を、プロジェクタ１１０に送信するための光源ＬＳＣを有している。
【００２０】
４つの操作ボタンＢＳＬ，ＢＳＣ，ＢＺＵ，ＢＺＤのいずれかが押下されると、押下されたボタンに応じて変調された赤外線ビームＢＭが光源ＬＳＣから射出される。一方、操作ボタンＢＰＴが押下されると、連続光の赤外線ビームＢＭが光源ＬＳＣから射出される。なお、光源ＬＳＣとしては、例えば、発光波長λが近赤外領域（λ≒８５０ｎｍ）のレーザダイオードや発光ダイオードを使用することができる。
【００２１】
ポインタから射出された赤外線ビームＢＭは、スクリーンＳＣＲ上に赤外線で照射された輝度の高い領域ＳＰ（以下、「スポットＳＰ」と呼ぶ）を形成する。このスポットＳＰが赤外線カメラ１１４によって撮影されることにより、操作ボタンＢＳＬ，ＢＳＣ，ＢＺＵ，ＢＺＤの操作に対応する指令がポインタ１２０からプロジェクタ１１０に送信されることになる。
【００２２】
操作ボタンＢＳＬ，ＢＳＣ，ＢＺＵ，ＢＺＤが押下された場合の赤外線ビームＢＭの変調方式としては、例えば、パルス位置変調（ＰＰＭ）方式とすることができる。このＰＰＭは、家電製品の操作に用いられるリモートコントローラ等で使用されている周知の変調方式である。ＰＰＭ方式におけるパルス幅とパルス間隔は、サンプリングによるエラーの発生を防止するため、赤外線カメラ１１４が出力する映像のフレームレートの２倍以上に設定される。
【００２３】
なお、本実施例では、赤外線ビームＢＭを変調することによって操作ボタンに対応する指令を送信しているが、例えば、電波を使用して操作ボタンに対応する指令を送信するものとしてもよい。
【００２４】
図２は、プロジェクタ１１０の構成を説明する説明図である。プロジェクタ１１０は、映像信号処理部２２０と、動画処理部２４０と、画像投射部２６０と、赤外線画像取得部２８０とを備えている。
【００２５】
映像信号処理部２２０は、プロジェクタ１１０に入力された映像信号ＶＳからデジタル動画データである原動画ＧＤを生成する。映像信号ＶＳがアナログ信号の場合には、映像信号ＶＳのＡ／Ｄ変換が行われ原動画ＧＤが生成される。一方、映像信号ＶＳがデジタル信号の場合には、適宜フォーマットの変換が行われ原動画ＧＤが生成される。生成された原動画ＧＤは、映像信号処理部２２０から動画処理部２４０に供給される。なお、原動画ＧＤの解像度は、後述する液晶パネルの画素数に変換される。
【００２６】
赤外線画像取得部２８０は、赤外線カメラ１１４（図１）により取得された視野領域ＡＣＶ（図１）の映像から赤外線画像ＫＤを生成する。具体的には、赤外線カメラ１１４が出力する映像信号をＡ／Ｄ変換することにより赤外線画像ＫＤを生成する。生成された赤外線画像ＫＤは、赤外線画像取得部２８０から動画処理部２４０に供給される。
【００２７】
動画処理部２４０は、赤外線画像ＫＤの解析結果に応じて原動画ＧＤの画像処理を行ない再生動画ＭＤを生成する。生成された再生動画ＭＤは、動画処理部２４０から画像投射部２６０に供給される。なお、動画処理部２４０によって行われる画像処理の詳細については、後述する。
【００２８】
画像投射部２６０は、供給された再生動画ＭＤに応じて液晶パネルを駆動する。液晶パネルによって変調された照明光は、適当な光学系を用いてスクリーンＳＣＲに投射される。この、投射された光により、スクリーンＳＣＲ上に画像が形成される。なお、画像投射部２６０では、再生動画ＭＤに対して解像度変換や階調特性変換等の画像処理が適宜行われる。
【００２９】
図３は、動画処理部２４０の構成を示す説明図である。動画処理部２４０は、映像処理部２４２と、領域枠重畳部２４４と、再生制御部２４６と、領域枠制御部２４８と、指示位置解析部２５０とコード解析部２５２とを備えている。動画処理部２４０は、原動画ＧＤをそのまま再生動画ＭＤとして出力する通常再生モードと、原動画ＧＤを拡大表示するための拡大領域を表す画像が原動画ＧＤに重畳された再生動画ＭＤを出力する領域指定モードと、原動画ＧＤのうち拡大領域に対応する部分を拡大した再生動画ＭＤを出力する拡大再生モードと、を備えている。
【００３０】
指示位置解析部２５０は、赤外線画像ＫＤを解析することにより投射領域ＡＰＪ上におけるスポットＳＰ（図１）の位置を検出する。検出されたスポットＳＰの位置は、投射領域ＡＰＪにおけるｘｙ座標（ｐx，ｐy）を表す位置パラメータＰＩとして領域枠制御部２４８に供給される。なお、赤外線画像ＫＤの解析による投射領域ＡＰＪ上のスポットＳＰ位置の検出は、例えば、特許文献２に開示された方法によって行うことができる。
【００３１】
コード解析部２５２は、赤外線画像ＫＤを解析することによりポインタ１２０（図１）から送信される指令を解析し、解析結果を指令情報ＣＩとして領域枠制御部２４８に供給する。上述のように、ポインタ１２０は、操作ボタンＢＳＬ，ＢＳＣ，ＢＺＵ，ＢＺＤ（図１）の押下に応じて変調された赤外線ビームＢＭ（図１）を射出し、操作ボタンＢＰＴ（図１）の押下によって連続光の赤外線ビームＢＭを射出する。そのため、スポットＳＰの輝度の時間変化は、押下された操作ボタンＢＳＬ，ＢＳＣ，ＢＺＵ，ＢＺＤ，ＢＰＴによって異なるため、スポットＳＰの輝度の時間変化から対応する操作ボタンＢＳＬ，ＢＳＣ，ＢＺＵ，ＢＺＤ，ＢＰＴのいずれが押下されたかを決定できる。
【００３２】
領域枠制御部２４８は、コード解析部２５２から供給される指令情報ＣＩに基づいて、拡大領域の大きさに対する投射領域ＡＰＪの大きさの比を表す倍率ｍと、拡大領域指定の開始と確定との指示を表す領域設定指示ＲＳと、拡大領域の指定を中止したことを表す設定中止指示ＲＤとを取得する。
【００３３】
操作ボタンＢＺＵの押下を表す指令情報ＣＩが領域枠制御部２４８に供給されると、領域枠制御部２４８は、倍率ｍを所定の変化率（例えば、１０％）分大きくする。一方、操作ボタンＢＺＤの押下を表す指令情報ＣＩが領域枠制御部２４８に供給されると、領域枠制御部２４８は、倍率ｍを所定の変化率分小さくする。このように、倍率ｍは、領域枠制御部２４８が倍率を変更するための指令に従って倍率ｍを変更することによって取得される。
【００３４】
拡大領域の指定開始と拡大領域を確定する際、ユーザは操作ボタンＢＳＬを押下げる。領域枠制御部２４８は、この操作ボタンＢＺＵの押下を表す指令情報ＣＩが供給された場合、領域設定指示ＲＳを取得する。拡大領域の指定を中止する際には、ユーザは操作ボタンＢＳＣを押し下げる。領域枠制御部２４８は、操作ボタンＢＳＣの押下を表す指令情報ＣＩが供給された場合、設定中止指示ＲＤを取得する。
【００３５】
領域枠制御部２４８は、位置パラメータＰＩと指令情報ＣＩと倍率ｍとに基づいて、投射領域ＡＰＪにおける拡大領域の位置を表す領域指定情報ＲＩを取得する。領域指定情報ＲＩは、操作ボタンＢＰＴの押下を表す指令情報ＣＩが供給されている間、位置パラメータＰＩに対応する値に更新される。そして、操作ボタンＢＰＴの押下を表す指令情報ＣＩが供給されなくなった場合、領域指定情報ＲＩの更新は停止される。
【００３６】
領域指定情報ＲＩは、例えば、投射領域ＡＰＪの大きさ（Ｘ，Ｙ）と倍率ｍとを用いて以下の式（１）ないし（４）で算出される拡大領域の左上端の点（ｘ1，ｙ1）と右下端の点（ｘ2，ｙ2）のそれぞれの座標値で表される。
【００３７】
ｘ1＝（ｐx−Ｘ／２）−Ｘ／２ｍ      …（１）
ｙ1＝（ｐy−Ｙ／２）−Ｙ／２ｍ      …（２）
ｘ2＝（ｐx−Ｘ／２）＋Ｘ／２ｍ      …（３）
ｙ2＝（ｐy−Ｙ／２）＋Ｙ／２ｍ      …（４）
【００３８】
拡大領域の左上端の点と右下端の点との座標を上記（１）〜（４）式を用いて算出することにより、拡大領域の中心点は位置パラメータＰＩで表される位置となり、拡大領域の大きさは投射領域ＡＰＪの１／ｍ倍となる。例えば、位置パラメータＰＩが投射領域ＡＰＪの中心を表し倍率ｍが２の場合、拡大領域は、投射領域ＡＰＪと中心が同一で大きさが投射領域ＡＰＪの半分の領域となる。
【００３９】
なお、上記（１）〜（４）式で表される拡大領域は投射領域ＡＰＪと相似形になるが、拡大領域の形状は投射領域ＡＰＪの形状と異なっていても良い。この場合、拡大領域の左上端の点と右下端の点との座標は、投射領域ＡＰＪの大きさ（Ｘ，Ｙ）に換えて投射領域ＡＰＪの大きさを超えない任意の大きさ（Ｘ’，Ｙ’）を用いて算出できる。
【００４０】
このように取得された領域指定情報ＲＩと、領域設定指示ＲＳと、設定中止指示ＲＤとは、領域枠制御部２４８から再生制御部２４６に供給される。なお、本実施例では、直接変更された倍率ｍにより領域指定情報ＲＩを算出しているが、倍率ｍを表すパラメータ（倍率パラメータ）を変更し倍率パラメータから領域指定情報ＲＩを算出するものとしてもよい。この場合、倍率パラメータとしては、倍率ｍに定数を乗じた値や倍率ｍの逆数等を使用することができる。
【００４１】
再生制御部２４６は、領域設定指示ＲＳと設定中止指示ＲＤとに基づいて動画処理部２４０の動作モードを決定する。動作モードを表すモード情報ＰＭは、領域枠制御部２４８により取得された領域指定情報ＲＩと併せて映像処理部２４２に供給される。また、再生制御部２４６は、モード情報ＰＭを領域枠制御部２４８に供給する。領域枠制御部２４８は、このモード情報ＰＭと領域指定情報ＲＩとを領域枠重畳部２４４に供給する。なお、再生制御部２４６による動作モードの決定については、後述する。
【００４２】
映像処理部２４２は、再生制御部２４６から供給される領域指定情報ＲＩとモード情報ＰＭとに基づいて、映像信号処理部２２０（図２）から供給される原動画ＧＤの処理を行ない中間動画ＸＤを出力する。この中間動画ＸＤは、領域枠重畳部２４４に供給される。
【００４３】
映像処理部２４２は、動画処理部２４０が通常再生モードまたは領域指定モードである場合、原動画ＧＤをそのまま中間動画ＸＤとして出力する。一方、動画処理部２４０が拡大再生モードである場合、映像処理部２４２は、原動画ＧＤのうち拡大領域に対応する範囲の画像から原動画ＧＤと同一解像度の画像を生成し、生成された動画を中間動画ＸＤとして出力する拡大処理を行う。拡大処理を行う場合、映像処理部２４２は、領域指定情報ＲＩから適当な座標変換により拡大領域に対応する原動画ＧＤの範囲（切出範囲）を算出する。そして、原動画ＧＤのうち切出範囲内の画像に対して周知の解像度変換処理を行うことにより原動画ＧＤと同一解像度の画像を生成する。生成された画像は、中間動画ＸＤとして出力される。
【００４４】
領域枠重畳部２４４は、領域枠制御部２４８から供給される領域指定情報ＲＩとモード情報ＰＭとに基づいて、中間動画ＸＤに拡大領域を表す画像を重畳し、再生動画ＭＤを生成する。生成された再生動画ＭＤは、画像投射部２６０（図２）に供給され、再生動画ＭＤを表す画像がスクリーンＳＣＲ（図１）上の投射領域ＡＰＪに投射される。
【００４５】
領域枠重畳部２４４は、動画処理部２４０が通常再生モードまたは拡大再生モードである場合、中間動画ＸＤをそのまま再生動画ＭＤとして出力する。一方、動画処理部２４０が領域指定モードである場合、領域枠重畳部２４４は、拡大領域の外周部を表す白色の矩形画像（領域枠）を生成する。そして、生成された領域枠は、中間動画ＸＤに合成され再生動画ＭＤとして出力される。
【００４６】
図４は、プロジェクタ１１０（図１）による動画の拡大再生の一例を示す説明図である。図４の例では、プロジェクタ１１０には、人が画面の中央下側で走っている映像ＩＲＮを表す映像信号ＶＳが供給されている。
【００４７】
動画処理部２４０（図３）が通常再生モードの場合、動画処理部２４０が出力する再生動画ＭＤは原動画ＧＤとなる。そのため、投射領域ＡＰＪには、図４（ａ）に示されるように、映像ＩＲＮが表示される。
【００４８】
図４（ａ）に示される通常再生モードから図４（ｂ）に示される領域指定モードへは、ユーザによるポインタ１２０（図１）の操作ボタンＢＳＬの押下によって切替えられる。ユーザが操作ボタンＢＳＬを押下げると、コード解析部２５２（図３）は、操作ボタンＢＳＬの押下を表す指令情報ＣＩを領域枠制御部２４８に供給する。この指令情報ＣＩに基づいて、領域枠制御部２４８は、領域設定指示ＲＳを再生制御部２４６に供給する。領域設定指示ＲＳが再生制御部２４６に供給されると、再生制御部２４６は動画処理部２４０の動作モードを領域指定モードに切替える。
【００４９】
なお、領域指定モードにおいて、操作ボタンＢＳＣの押下を表す指令情報ＣＩが領域枠制御部２４８に供給されると、領域枠制御部２４８は設定中止指示ＲＤを再生制御部２４６に供給する。再生制御部２４６は、設定中止指示ＲＤが供給されると、動画処理部の動作モードを通常再生モード（図４（ａ））に切替える。
【００５０】
領域指定モードでは、映像処理部２４２は原動画ＧＤをそのまま中間動画ＸＤとして出力する。そのため、投射領域ＡＰＪには、図４（ｂ）に示されるように、通常再生モード（図４（ａ））と同一の映像ＩＲＮが投射される。また、領域指定モードでは、領域枠重畳部２４４（図３）は中間動画ＸＤに領域枠を重畳し、再生動画ＭＤとして出力する。そのため、投射領域ＡＰＪには、図４（ｂ）に示されるように、領域枠ＩＦＭが映像ＩＲＮに重畳される。
【００５１】
領域枠ＩＦＭは、ユーザによる操作ボタンＢＺＵ，ＢＺＤの押下によりその大きさが変更される。上述のように、ユーザが操作ボタンＢＺＵ，ＢＺＤを押下げると、倍率ｍが変更される。そして、倍率ｍの変更に伴って、領域指定情報ＲＩが変更される。領域枠重畳部２４４は、このように変更された領域指定情報ＲＩに基づいて領域枠を生成し中間動画ＸＤと合成する。図４の例では、ユーザが操作ボタンＢＺＵを押下げることにより、倍率ｍが大きくなり、領域指定情報ＲＩが表す拡大領域が小さくなる。そのため、図４（ｂ）に示される領域枠ＩＦＭは小さくなり、図４（ｃ）に示される領域枠ＩＦＭａとなる。
【００５２】
図４（ｃ）に示される領域指定モードから図４（ｄ）に示される拡大再生モードへは、ユーザによる操作ボタンＢＳＬの押下によって切替えられる。ユーザが操作ボタンＢＳＬを押し下げることにより、コード解析部２５２は、操作ボタンＢＳＬが押し下げられたことを表す指令情報ＣＩを取得する。この指令情報ＣＩに基づいて、領域枠制御部２４８は、領域設定指示ＲＳを再生制御部２４６に供給する。領域設定指示ＲＳが再生制御部２４６に供給されると、再生制御部２４６は動画処理部２４０の動作モードを拡大再生モードに切替える。なお、拡大再生モードから通常再生モードへの切替は、ユーザによるポインタ１２０のボタン操作（例えば、操作ボタンＢＳＣの押下）によって行われる。
【００５３】
拡大再生モードでは、映像処理部２４２は、原動画ＧＤのうち領域指定情報ＲＩで指定された範囲を拡大した中間動画ＸＤを出力する。そのため、投射領域ＡＰＪには、図４（ｄ）に示されるように、図４（ｃ）の領域枠ＩＦＭａで示される拡大領域の映像ＩＲＮａが投射される。また、領域枠重畳部２４４は、中間動画ＸＤをそのまま再生動画ＭＤとして出力する。そのため、投射領域ＡＰＪに投射される画像には領域枠が重畳されない。
【００５４】
図５は、プロジェクタ１１０（図１）による動画の拡大再生の図４とは別の例を示す説明図である。図５（ａ），（ｂ）は、図４（ａ），（ｂ）と同一の状態を表している。
【００５５】
領域枠ＩＦＭは、ユーザがポインタ１２０（図１）の操作ボタンＢＰＴを押下げながらポインタ１２０の姿勢を変えることによりその位置が変更される。操作ボタンＢＰＴが押下げられた状態でポインタ１２０の姿勢が変わると、スポットＳＰ（図１）の位置が移動する。そのため、操作ボタンＢＰＴを押下げている間に位置パラメータＰＩが変化するので、領域指定情報ＲＩが変更される。領域枠重畳部２４４は、このように変更された領域指定情報ＲＩに基づいて領域枠を生成し中間動画ＸＤと合成する。図５の例では、ユーザがポインタ１２０を下方に向けることにより、位置パラメータＰＩおよび領域指定情報ＲＩが表す領域枠の位置が下方に移動する。そして、図５（ｂ）に示される領域枠ＩＦＭは下方に移動し、図５（ｃ）に示される領域枠ＩＦＭｂとなる。
【００５６】
図５（ｃ）に示される領域指定モードから図５（ｄ）に示される拡大再生モードへの切替は、ユーザによるポインタ１２０のボタン操作によって実行される。ユーザによる操作ボタンＢＳＬの押下により拡大再生モードに切替えられると、投射領域ＡＰＪには、図５（ｄ）に示されるように、図５（ｃ）の領域枠ＩＦＭｂで示される拡大領域の映像ＩＲＮｂが表示される。
【００５７】
このように、本実施例では、拡大領域をポインタ１２０（図１）による位置の指示と操作ボタンＢＳＬ，ＢＺＤ，ＢＺＵの操作とにより迅速に指定することができるので、ユーザは原動画ＧＤの再生中に拡大再生を望む領域を容易に指定することができる。また、拡大再生される領域は、原動画ＧＤに重畳される領域枠ＩＦＭ，ＩＦＭａ，ＩＦＭｂによって示され、拡大再生の対象となる領域をユーザが確認することができるので、ユーザは拡大再生を望む領域の指定をより正確にすることができる。
【００５８】
Ｂ．変形例：
なお、この発明は上記実施例や実施形態に限られるものではなく、その要旨を逸脱しない範囲において種々の態様において実施することが可能であり、例えば次のような変形も可能である。
【００５９】
Ｂ１．変形例１：
上記実施例では、赤外線ビームＢＭで形成されるスポットＳＰの位置を検出して投射領域ＡＰＪ上の位置の指定を行っているが、スポットを形成する光線の波長は赤外線に限られない。例えば、可視光のビームが形成するスポットの位置を検出し投射領域ＡＰＪ上の位置の指定を行うこともできる。この場合、投射領域ＡＰＪの撮影には、例えば、ポインタ１２０が射出する光を選択的に透過させるフィルタを備えたカメラが使用できる。
【００６０】
Ｂ２．変形例２：
上記実施例では、光線がスクリーンＳＣＲ上に形成するスポットの位置によって投射領域ＡＰＪ上の位置の指定を行っているが、ポインタの位置と姿勢とから算出することにより投射領域ＡＰＪ上の位置の指定を行うものとしてもよい。この場合、ポインタの位置と姿勢は、例えば、ポインタに加速度センサ等のセンサを搭載し、センサの出力をプロジェクタに送信することで検出できる。
【図面の簡単な説明】
【００６１】
【図１】本発明の一実施例としての動画表示システムの構成を示す説明図。
【図２】プロジェクタの構成を説明する説明図。
【図３】動画処理部の構成を示す説明図。
【図４】動画再生部による動画の拡大再生の一例を示す説明図。
【図５】動画再生部による動画の拡大再生の別の例を示す説明図。
【符号の説明】
【００６２】
１００…動画表示システム
１１０…プロジェクタ
１１２…プロジェクタ本体
１１４…赤外線カメラ
１２０…ポインタ
１３０…ＤＶＤプレーヤ
２２０…映像信号処理部
２４０…動画処理部
２４２…映像処理部
２４４…領域枠重畳部
２４６…再生制御部
２４８…領域枠制御部
２５０…指示位置解析部
２５２…コード解析部
２６０…画像投射部
２８０…赤外線画像取得部
ＢＰＴ…操作ボタン
ＢＳＣ…操作ボタン
ＢＳＬ…操作ボタン
ＢＺＤ…操作ボタン
ＢＺＵ…操作ボタン
ＬＳＣ…光源
ＳＣＲ…スクリーン
【図１】
2005292178.tif 000003
【図２】
2005292178.tif 000004
【図３】
2005292178.tif 000005
【図４】
2005292178.tif 000006
【図５】
2005292178.tif 000007